(57)【要約】      （修正有）【課題】地震発生直後に当該地震被災地域の昇降機の運転状態に関する情報を効率よく把握できる昇降機の監視制御システムを提供する。【解決手段】地震検知信号の発生を契機として起動し、かつ地震検知信号のレベルの大小に応じて設定時間が相違するタイマ３１ａを設け、当該タイマ３１ａの設定時間終了時に、監視センター装置４が行う昇降機の運転状態情報の読み出しが完了していない昇降機は、その運転状態情報を監視装置３から監視センター装置４に通報する昇降機の監視制御システム。【選択図】図１
2010036994.tif 000002
【特許請求の範囲】
【請求項１】
昇降機を有する建物に配設された地震感知器の地震検知に基づいて、昇降機の運転を通常運転から地震管制運転に切り替えて昇降機の運転を行う昇降機制御装置と、昇降機の運転状態を監視して運転状態情報として記憶すると共に、昇降機を遠隔的に監視する監視センター装置に通報する監視端末とを備える昇降機の監視システムにおいて、
前記地震検知を契機として起動し、かつ地震検知信号のレベルの大小に応じて設定時間が変更可能なタイマを設け、当該タイマの設定時間終了時に、前記監視端末に記憶されている運転状態情報の読み出しが完了していない昇降機の運転状態情報が、前記監視端末から監視センター装置に通報される昇降機の監視制御システム。
【請求項２】
前記運転状態情報が停電事故状態であるときは、前記タイマの設定時間終了を待たずに運転状態情報を直ちに前記監視装置から監視センター装置に通報する、請求項１に記載の昇降機の監視制御システム。
【発明の詳細な説明】
【技術分野】
【０００１】
エレベーターやエスカレーター等の昇降機の制御システムに係わり、特に地震等の災害時における復旧に好適な、昇降機の監視制御システムの技術に関する。
【背景技術】
【０００２】
従来、昇降機の地震対策としては、地震が発生したことを地震感知器が検出すると、走行中の乗りかごを最寄り階に着床させて運転休止状態にする地震時管制運転を行い、運転休止信号を通信回線を介して監視センターに通常運転になるまで継続通報し、当該運転休止信号の通報を受けた監視センターでは、当該運転休止信号に基づいて専門技術者を派遣して復旧作業に当たらせていた。
【０００３】
しかしながら、所定規模以上の地震が発生すると多数のエレベーターが広範囲において運転休止状態になるため、広範囲から多数の前記運転休止信号の通報が前記監視センターへ同時に行われるため、通信回線が混乱して当該通報が不能になったり、大幅に遅れたりしてエレベーターの復旧が遅れたりする問題を回避するために、前記運転休止信号の出力を以てタイマを起動し、当該タイマ設定時間経過後においても前記運転休止信号が出力状態にある昇降機は、未復旧である旨の通報を前記監視センターに行い、当該運転休止状態にあるエレベーターを早急に復旧してエレベーター運行サービスの低下を防止する技術が知られていた（特許文献１参照）。
【特許文献１】特開平４−２６０５７９号公報
【発明の開示】
【発明が解決しようとする課題】
【０００４】
前記従来技術は、地震感知器が地震を検知した後、地震による一般通信回線の混乱による影響を避けるために設定された、未復旧である旨の通報をするまでの所定期間を地震の規模に拘わらず一定としているが、前記通信回線の混乱が収束するまでの期間は地震の規模の大小により少なからず影響を受けるものであることからすれば、規模の小さな地震においては無為に所定期間経過するまで待機することとなって復旧対応が遅れるとの問題、さらに、前記所定期間経過後の通報が単なる未復旧であるから、昇降機の運転状態、例えば、閉じこめ事故状態、停電事故状態、地震管制運転完了状態等の運転状態は把握することができないので、迅速に復旧対応ができない問題点があった。
【０００５】
本発明は、上記の課題を解決するためになされたものであり、地震発生直後に当該地震被災地域の昇降機の運転状態に関する情報（以下「運転状態情報」という）を効率よく把握できる昇降機の監視制御システムを提供すること。
【課題を解決するための手段】
【０００６】
昇降機を有する建物に配設された地震感知器の地震検知に基づいて、昇降機の運転を通常運転から地震管制運転に切り替えて昇降機の運転を行う昇降機制御装置と、昇降機の運転状態を監視して運転状態情報として記憶すると共に、昇降機を遠隔的に監視する監視センター装置に通報する監視端末とを備える昇降機の監視システムにおいて、
前記地震検知を契機として起動し、かつ地震検知信号のレベルの大小に応じて設定時間が変更可能なタイマを設け、当該タイマの設定時間終了時に、前記監視端末に記憶されている運転状態情報の読み出しが完了していない昇降機の運転状態情報が、前記監視端末から監視センター装置に通報されることを特徴とする。
【発明の効果】
【０００７】
地震発生後、地震による一般通信回線の混乱による影響を避けるために設定された、監視センター装置が読み出しを行う昇降機の運転状態の読み出し期間を、地震の規模の大小に応じて変更することにより、効率よく昇降機の運転状態を把握することができるので、昇降機の復旧作業の対応が迅速化できる効果を奏する。
さらに、地震発生により監視センター装置が直ちに運転状態情報の読み出しを行うので早期に昇降機の運転状態が把握できる効果を奏し、また、一般通信回線の混乱などにより、前記運転状態情報が所定の期間内に読み出しができなかった昇降機の運転状態情報については、当該所定期間の終了時に運転状態情報が監視センター装置に通報されるので、監視センター装置から地震の被害に遭った昇降機の運転状態を読み出せない場合においても昇降機の運転状態が把できるので、昇降機の復旧作業の対応が迅速化できる効果を奏する。
【発明を実施するための最良の形態】
【０００８】
以下、本発明の一実施形態を図１乃至図７に基づいて説明する。
図１はブロック構成図、図２は監視センター装置４に記憶される顧客情報記憶部４２ａ１の説明図、図３は監視センター装置４に記憶されるタイマ情報記憶部４２ｂ１の説明図、図４は監視センター装置４に記憶される監視情報記憶部４２ｃ１の説明図、図５は地震発生による昇降機の運転状態情報通報処理を示すフローチャートである。
【０００９】
図１において、符号１は昇降機を有する建物に配設された地震感知器、符号２は昇降機制御装置、符号３は監視端末装置、符号４は監視センター装置、符号５は入力端末、符号６は一般通信回線、符号７は社内ネットワークを示す。
前記昇降機制御装置２は、昇降機の通常運転、地震管制運転等、昇降機の運転を制御すると共に、監視装置端末３との間で地震検知情報、事故情報等のデータ通信を制御する制御部２１と、運転履歴を記憶する記憶部２２とから構成されている。
前記監視端末装置３は、昇降機制御装置２から受信した地震検知情報に基づいて起動するタイマ３１ａ、昇降機の閉じこめ事故を検出する閉じこめ検出部３１ｂ、停電事故を検出する停電検出部３１ｃ、昇降機の休止状態を検出する休止状態検出部３１ｄ等を備えた制御部３１と、閉じこめ検出事故、停電事故等の昇降機の運転状態、後記するタイマ情報及び顧客情報等を記憶する記憶部３２と、一般通信回線６を介して閉じこめ事故、停電事故、地震管制運転完了等の運転状態情報を監視センター４に通報するための通信部３３とから構成されている。
【００１０】
前記監視センター装置４は、制御部４１と、顧客情報４２ａ、タイマ情報４２ｂ、監視情報４２ｃ等を記憶する記憶部４２と、監視端末装置３、入力端末装置５、及び昇降機制御装置２等との間で通信を行う通信部４３と、表示部４４、入力部４５とから構成され、当該顧客情報としては、図２に例示するように、顧客情報記憶部４２ａ１に、顧客を管理する管理番号部４２ａ２、顧客名部４２ａ３、顧客の所在地を判断するための地域コード部４２ａ４、顧客住所部４２ａ５、監視端末装置３の電話番号部４２ａ６が記憶されている。
【００１１】
また、タイマ情報４２ｂには、地震感知器１の地震検出に基づいてタイマ３１ａが動作してから、監視端末装置３が監視センター４に昇降機の運転状態情報を通報するまでの所定時間が、前記地域コード４２ａ４毎、かつ地震感知器１の地震検知レベルの大小に応じて長短２様に記憶されており、そして、前記時間は、監視端末装置３の記憶部３２に顧客情報と共に記憶されて、タイマ３１ａの設定に用いられるものである。
具体的には図３に例示するように、タイマ情報記憶部４２ｂ１に、顧客が所在する地域を判断するための地域コード４２ｂ２、その地域名４２ｂ３、監視端末装置３が監視センターへの運転状態情報の地震時通報に際して設定されるタイマ３１ａの値として、前記地震検知レベル高の場合に設定する、低タイマ値４２ｂ４、地震検出レベル低の場合に設定する高タイマ値４２ｂ５が記憶されている。
【００１２】
また、監視情報４２ｃは、図４に例示するように、監視情報部４２ｃ１に顧客を管理する管理番号部４２ｃ２、顧客名部４２ｃ３、顧客の所在地域を判断するための地域コード部４２ｃ４、地震発生時に監視センター４から監視端末装置３に記憶されている運転状態情報の読み出しが完了したか否かを管理する状態読み出し部４２ｃ５、当該読み出した運転状態情報を管理する運転状態部４２ｃ６、監視端末装置３から前記設定されたタイマ時間の経過に伴って通報される閉じこめ事故、停電事故、地震管制運転完了等の運転状態情報を記憶する通報情報部４２ｃ７と、当該運転状態情報受信時刻を示す受信時刻部４２ｃ８、昇降機が復旧した時刻を示す復旧時刻部４２ｃ９が記憶されている。
【００１３】
前記入力端末装置５は、制御部５１、監視センター装置４との間で社内ネットワーク７を介してデータ通信を行う通信部５２、表示部５３、入力部５４から構成され、監視センター装置４で管理される情報の表示、及び顧客の住所、昇降機監視仕様等の顧客の管理情報、監視端末装置３から監視センター装置４を介して受信した運転状態情報に基づく復旧作業工程等を入力する入力端末装置である。
【００１４】
通常の運転状態情報の通報処理について説明する。
監視端末装置３の閉じこめ検出部３１ａ、停電検出部３１ｃにより検出された閉じ込め事故、停電事故等の情報は、運転状態情報として記憶部３２に記憶されると共に、昇降機制御装置２に出力されて当該事故に対応した昇降機の運転制御が行われる。
さらに、前記閉じ込め事故、停電事故等の運転状態情報は、一般通信回線６を介して監視センター装置４に通報され、当該通報に基づいて適宜の復旧措置が講じられる。
【００１５】
次に、地震発生に応じた運転状態情報の通報処理の一例を、図５のフローチャートを用いて説明する。
地震感知器１が地震を検知して（ステップＳ１）、地震検知信号を昇降機制御装置２に出力すると、当該地震検知信号が入力された昇降機制御装置２では、制御部２１が昇降機の地震管制運転を行い、地震検知情報を監視センター４に出力すると共に、当該検知信号のレベル、すなわち、地震の規模の大小に応じて複数設定されているタイマ起動用信号の内の１を監視端末装置３に出力する（ステップＳ２）。
すると、当該タイマ駆動用信号を受信した監視端末装置３では、制御部３１が受信した検知信号レベルに応じたタイマ起動用信号に基づいて、記憶部３２に記憶されている低タイマ値又は高タイマ値を選択してタイマ３１ａに所定時間として設定する（ステップＳ３ａ、ステップＳ３ｂ）。
【００１６】
さらに、前記制御部３１は、昇降機に閉じこめ事故などの異常が発生しているか否か監視し（ステップＳ４）、異常が発生しているときはタイマ３１ａの動作を停止して（ステップＳ５）監視センター４に閉じ込め事故が発生した異常通報を行って（ステップＳ６）終了する。
前記ステップＳ４において昇降機に異常が発生していないときは、地震管制運転が完了したか否か、すなわち、昇降機が休止状態となっているか否かを判定し（ステップＳ７）、完了していなければ前記ステップＳ４に戻って昇降機における異常発生の有無を、地震管制運転完了まで監視する。
一方、前記ステップＳ７で地震管制運転が完了したとの判定のときは、さらに停電事故等の異常が発生しているか否か監視し（ステップＳ８）、停電事故が発生しているとの監視結果のときは、タイマ３１ａを停止して（ステップＳ９）監視センター４に停電通報を行い（ステップＳ１０）、補助電源によるバックアップ期間内に運転状態情報を監視センター４に通報する（ステップＳ１４）。
【００１７】
また、前記ステップＳ８において停電事故が発生していないとの監視結果のときは、地震検知信号を受信した監視センター装置４は、監視端末３の記憶部３２に記憶されている運転状態情報の読み出しを行い、当該読み出しが完了しているか否かを、監視情報４２ｃの状態読み出し部４２ｃ５を参照して完了、未完了の有無をチエックすることにより判定し（ステップＳ１１）、完了しているとの判定のときは、タイマ３１ａを停止して（ステップＳ１２）終了する。
【００１８】
一方、前記ステップＳ１１において、前記状態読み出し部４２ｃ５に未完了が存在して、読み出しが完了していないときは、タイマ３１ａに設定された所定時間が経過したか否か判定する（ステップＳ１３）。
前記ステップＳ１３において、所定時間が経過していないとの判定のときは前記ステップＳ８に戻り、前記ステップＳ１３の所定時間が経過するまで前記ステップＳ８、ステップＳ１１を繰り返す。
一方、前記ステップ１３の判定において、タイマ３１ａに設定された所定時間が経過したとき、監視センター装置４から送信される運転状態情報送信指令信号、運転状態情報を送信したにも係わらず監視センター装置４からの当該情報受信確認信号等が未受信状態にある昇降機は、自己の運転状態情報を監視センター装置４に通報して（ステップＳ１４）終了する。
【００１９】
なお、前記補助電源は、地震発生と共に停電が発生しても、地震管制運転完了後まで各種動作制御可能な程度のバックアップ容量を備えるものである。
【００２０】
以上の実施形態によれば、地震などの広域災害発生時に、監視センター装置から昇降機の運転状態情報が読出せない場合においても、被災地域の昇降機運転状態を迅速に把握して出動指示を行うことができる効果を奏する。
【図面の簡単な説明】
【００２１】
【図１】ブロック構成図である。
【図２】監視センターに記憶される顧客情報記憶部の説明図である。
【図３】監視センターに記憶されるタイマ情報記憶部の説明図である。
【図４】監視センターに記憶される監視情報記憶部の説明図である。
【図５】地震発生による昇降機の運転状態情報通報処理を示すフローチャートである。
【符号の説明】
【００２２】
１  地震感知器
２  昇降制御装置
２１  制御部
２２  記憶部
３  監視端末装置
３１  制御部
３１ａ  タイマ部
３１ｂ  閉じこめ検出部
３１ｃ  停電検出部
４  監視センター装置
４１  制御部
４２  記憶部
４２ａ  顧客情報
４２ａ１  顧客情報部
４２ａ２  管理番号部
４２ａ３  顧客名部
４２ａ４  地域コード部
４２ａ５  住所部
４２ａ６  電話番号部
４２ｂ  タイマ情報
４２ｂ１  タイマ情報部
４２ｂ２  地域コード部
４２ｂ３  地域名部
４２ｂ４  低タイマ値部
４２ｂ５  高タイマ値部
４２ｃ  監視情報
４２ｃ１  監視情報部
４２ｃ２  管理番号部
４２ｃ３  顧客名部
４２ｃ４  地域コード部
４２ｃ５  状態読み出し部
４２ｃ６  運転状態部
４２ｃ７  通報情報部
４２ｃ８  受信時刻部
４２ｃ９  復旧時刻部
４３  通信部
４４  表示部
４５  入力部
５  入力端末装置
５１  制御部
５２  通信部
５３  表示部
５４  入力部
６  一般通信回線
７  社内ネットワーク
【図１】
2010036994.tif 000003
【図２】
2010036994.tif 000004
【図３】
2010036994.tif 000005
【図４】
2010036994.tif 000006
【図５】
2010036994.tif 000007